(57)【要約】【課題】  デスクトップパネルへの取付けを、複雑な構造とすることなく、比較的低コストで容易に行うことができるとともに、体裁を良好に収めることができるようにする。【解決手段】  天板２の上面を、複数の空間に区画するデスクトップパネル５の上面５ａに、デスクトップパネル５の左右方向を向く長手方向に横長形状の挿通孔２２を穿設する。この挿通孔２２の前後寸法とほぼ同一の外径を有する断面ほぼ円形の係止ピン１５を、照明装置７の下面、または照明装置７を連結する連結部材９の下面から下方に向かって突設する。左右の係止ピン１５の外周面１５ａを、左右の挿通孔２２におけるデスクトップパネルの長手方向の内側もしくは外側の内周面２２ａに近接して挿通し配置することにより、照明装７に結線された電源供給用の配線７ａを、挿通孔２２における係止ピン挿通部２３ａ以外の空間に引込みうるようにする。【選択図】    図３
2011103999.tif 000002
【特許請求の範囲】
【請求項１】
什器の天板上から上方にデスクトップパネルを立設することにより、前記天板の上面を複数の空間に区画するとともに、前記デスクトップパネルの上方位置に、照明装置が取付けられるようにした照明装置の取付構造において、
デスクトップパネル上面の左右に離間した位置に、前記デスクトップパネルの左右方向を向く長手方向に横長形状の挿通孔を下方に向って穿設するとともに、
この挿通孔の前後寸法とほぼ同一の外径を有する断面ほぼ円形の係止ピンを、前記照明装置の下面の左右に離間した位置、または照明装置を連結する左右に離間した連結部材の下面から下方に向かって突設し、かつこれら左右の係止ピンの外周面を、前記左右の挿通孔における前記デスクトップパネルの長手方向の内側もしくは外側の内周面に近接して挿通し配置することにより、前記照明装置に結線された電源供給用の配線を、前記挿通孔における係止ピン挿通部以外の空間に引込みうるようにしたことを特徴とする照明装置の取付構造。
【請求項２】
デスクトップパネルを、前後二枚の平板と、これら平板間に上方を向くように配置され、かつ前記各平板の裏面同士を連結する複数の芯材とより構成するとともに、これら左右に隣接する芯材間に形成された空間部を、前記デスクトップパネルにおける上面の挿通孔に連通させた請求項１記載の照明装置の取付構造。
【請求項３】
デスクトップパネルの前後位置に、照明装置を構成する照明機器をそれぞれ配設するとともに、これら前後の照明機器を連結部材によって連結し、かつこの連結部材の下面に、前記デスクトップパネルにおける上面の挿通孔に挿通される係止ピンを突設した請求項１または２記載の照明装置の取付構造。
【請求項４】
デスクトップパネルにおける上面の挿通孔を、連結部材によって閉塞するとともに、連結部材に案内溝を形成し、かつこの案内溝を介して、照明装置に結線された電源供給用の配線を、前記挿通孔内に引込みうるようにした請求項３記載の照明装置の取付構造。
【請求項５】
連結部材に形成した案内溝に、割り溝を有する円筒状の保護部材を嵌合させた請求項４記載の照明装置の取付構造。
【請求項６】
連結部材の下面に、下方に向けて突設された凸部を、係止ピンから離間した位置に形成するとともに、デスクトップパネルの上面に、前記凸部と整合する凹部を設け、かつこの凹部と凸部とを、前記連結部材をデスクトップパネルの上面に取付けた際に、互いに係合しうるようにした請求項３〜５のいずれかに記載の照明装置の取付構造。
【発明の詳細な説明】
【技術分野】
【０００１】
本発明は、例えばオフィス等の執務空間にて使用されるデスクやテーブル等における什器の天板上に設置されたデスクトップパネルに取付けられる照明装置の取付構造に関する。
【背景技術】
【０００２】
従来のデスクやテーブル等における什器においては、天板上の照度を確保して、使用者に最適な環境を提供するために、天板の上方に照明装置が設置されている。
【０００３】
また、什器の天板上にデスクトップパネルを設置することによって、天板の上面が複数の空間に区画されている場合には、天井に設置した室内照明装置からの照明光が、デスクトップパネルによって遮られることがあるため、デスクトップパネルの上方位置に照明装置を取付けるようにしたものがある。
【０００４】
こうした天板上にデスクトップパネルを設置した什器における照明装置の取付構造としては、デスクトップパネルの上部に、左右方向を向く係止溝を形成するとともに、この係止溝に、照明装置に設けた係止部を係止することによって、簡易的な構造でもって確実に取付けることができるようにしたものが周知である（例えば特許文献１〜４参照）。
【０００５】
しかし、上記したように各特許文献に記載のデスクトップパネルに対する照明装置の取付構造では、デスクトップパネルに係止溝を形成する必要があるため、デスクトップパネルの製造工数が多く、コスト高となる。
しかも、照明装置に結線された配線が外部に露呈されるため、体裁が悪いという問題を有していた。
【先行技術文献】
【特許文献】
【０００６】
【特許文献１】特開２００５−１３１１９５号公報
【特許文献２】特開２００５−１３１１９７号公報
【特許文献３】特開２００５−１３１１９８号公報
【特許文献４】特開２００５−１３１１９９号公報
【発明の概要】
【発明が解決しようとする課題】
【０００７】
本発明は、前記の現状に鑑み、デスクトップパネルへの取付けを、複雑な構造とすることなく、比較的低コストで容易に行うことができるとともに、体裁を良好に収めることができるようにした照明装置の取付構造を提供することを目的とする。
【課題を解決するための手段】
【０００８】
上記課題は、「特許請求の範囲」の欄における各請求項に記載するように、次のような構成からなる発明によって解決される。
（１）  什器の天板上から上方にデスクトップパネルを立設することにより、前記天板の上面を複数の空間に区画するとともに、前記デスクトップパネルの上方位置に、照明装置が取付けられるようにした照明装置の取付構造において、デスクトップパネル上面の左右に離間した位置に、前記デスクトップパネルの左右方向を向く長手方向に横長形状の挿通孔を下方に向って穿設するとともに、この挿通孔の前後寸法とほぼ同一の外径を有する断面ほぼ円形の係止ピンを、前記照明装置の下面の左右に離間した位置、または照明装置を連結する左右に離間した連結部材の下面から下方に向かって突設し、かつこれら左右の係止ピンの外周面を、前記左右の挿通孔における前記デスクトップパネルの長手方向の内側もしくは外側の内周面に近接して挿通し配置することにより、前記照明装置に結線された電源供給用の配線を、前記挿通孔内における係止ピン挿通部以外の空間に引込みうるようにする。
【０００９】
（２）  上記（１）項において、デスクトップパネルを、前後二枚の平板と、これら平板間に上方を向くように配置され、かつ前記各平板の裏面同士を連結する複数の芯材とより構成するとともに、これら左右に隣接する芯材間に形成された空間部を、前記デスクトップパネルにおける上面の挿通孔に連通させる。
【００１０】
（３）  上記（１）項または（２）項において、デスクトップパネルの前後位置に、照明装置を構成する照明機器をそれぞれ配設するとともに、これら前後の照明機器を連結部材によって連結し、かつこの連結部材の下面に、前記デスクトップパネルにおける上面の挿通孔に挿通される係止ピンを突設する。
【００１１】
（４）  上記（３）項において、デスクトップパネルにおける上面の挿通孔を、連結部材によって閉塞するとともに、連結部材に案内溝を形成し、かつこの案内溝を介して、照明装置に結線された電源供給用の配線を、前記挿通孔内に引込みうるようにする。
【００１２】
（５）  上記（４）項において、連結部材の案内溝に、割り溝を有する円筒状の保護部材を嵌合させる。
【００１３】
（６）  上記（３）〜（５）項において、連結部材の下面に、下方に向けて突設された凸部を、係止ピンから離間した位置に形成するとともに、デスクトップパネルの上面に、前記凸部と整合する凹部を設け、かつこの凹部と凸部とを、前記連結部材をデスクトップパネルの上面に取付けた際に、互いに係合しうるようにする。
【発明の効果】
【００１４】
本発明によると、次のような効果を奏することができる。
請求項１記載の発明によると、デスクトップパネル上面の左右に離間した位置に、デスクトップパネルの左右方向を向く長手方向に横長形状の挿通孔を下方に向って穿設するとともに、この挿通孔の前後寸法とほぼ同一の外径を有する断面ほぼ円形の係止ピンを、照明装置の下面の左右に離間した位置、または照明装置を連結する左右に離間した連結部材の下面から下方に向かって突設してあるため、デスクトップパネルに係止溝を形成する必要がなく、デスクトップパネルへの取付けを、複雑な構造とすることなく、比較的低コストでありながら、容易に行うことができる。
また、左右の係止ピンの外周面を、左右の挿通孔における前記デスクトップパネルの長手方向の内側もしくは外側の内周面に近接して挿通し配置することにより、照明装置に結線された電源供給用の配線を、挿通孔内における係止ピン挿通部以外の空間に引込みうるようにしてあるため、照明装置の配線が外部に露呈することがなく、体裁を良好に収めることができる。
【００１５】
請求項２記載の発明によると、デスクトップパネルを、前後二枚の平板と、これら平板間に上方を向くように配置され、かつ前記各平板の裏面同士を連結する複数の芯材とより構成するとともに、これら左右に隣接する芯材間に形成された空間部を、前記デスクトップパネルにおける上面の挿通孔に連通させてあるため、デスクトップパネルに対する照明装置の取付けを、複雑な構造とすることなく、比較的低コストでもって行うことができる。
【００１６】
請求項３記載の発明によると、デスクトップパネルの前後位置に、照明装置を構成する照明機器をそれぞれ配設し、これら前後の照明機器を連結部材によって連結するとともに、この連結部材の下面に、デスクトップパネルにおける上面の挿通孔に挿通される係止ピンを突設してあるため、デスクトップパネルの前後両位置に、照明装置の照明機器を簡単に配設することができる。
【００１７】
請求項４記載の発明によると、デスクトップパネルにおける上面の挿通孔を、連結部材によって閉塞するとともに、連結部材に案内溝を形成し、かつこの案内溝を介して、照明装置に結線された電源供給用の配線を、前記挿通孔内に引込みうるようにしてあるため、デスクトップパネルの上面および照明装置における配線の案内部分の体裁を良好に納めることができる。
【００１８】
請求項５記載の発明によると、連結部材の案内溝に、割り溝を有する円筒状の保護部材を嵌合させてあるため、案内溝に挿通され照明装置に結線された配線の傷付きを防止することができる。
【００１９】
請求項６記載の発明によると、連結部材の下面に、下方に向けて突設された凸部を、係止ピンから離間した位置に形成するとともに、デスクトップパネルの上面に、凸部と整合する凹部を設け、かつこの凹部と凸部とを、連結部材をデスクトップパネルの上面に取付けた際に、互いに係合しうるようにしてあるため、連結部材の水平方向の回転を防止することができ、連結部材をデスクトップパネル上に安定して確実に取付けることができる。
発明の具体的な内容は、次の通りである。
【図面の簡単な説明】
【００２０】
【図１】本発明における一実施形態の照明装置の取付構造を、机に適用した状態を示す斜視図である。（実施例）
【図２】図１におけるII−II線の要部拡大断面図である。
【図３】図１の円III部分を拡大して示す要部分解斜視図である。
【図４】図１の円IV部分を拡大して示す要部分解斜視図である。
【発明を実施するため形態】
【００２１】
以下、本発明の実施形態を図面に基づいて説明する。
図１は、本発明における一実施形態の照明装置の取付構造を、机に適用した状態を示す斜視図、図２は、図１におけるII−II線の要部拡大断面図、図３は、図１の円III部分を拡大して示す要部分解斜視図、図４は、図１の円IV部分を拡大して示す要部分解斜視図である。
なお、本実施形態においては、什器の代表的な例として、机を挙げて説明する。
【実施例】
【００２２】
図１に示すように、机１は、左右方向に長い平面視長方形の天板２と、この天板２の各隅部を支持する４本の脚柱３Ａ〜３Ｄとを備えている。
天板２上には、その左右両側面から前後方向に向けて上方に立設された１対の側面仕切りパネル４，４と、これら左右の側面仕切りパネル４，４間に左右方向に向けて上方に立設され、かつ前記天板２上を前後に区画するデスクトップパネル５と、このデスクトップパネル５の左右方向における中間部から前後方向に向けて上方に立設され、かつ前記天板２上を左右に区画する中間仕切りパネル６，６とを配置することにより、前記天板２の上面を、前後左右の複数の空間が区画されている。
【００２３】
デスクトップパネル５の上方位置には、天板２上の照度を確保しうる照明装置７が、前記中間仕切りパネル６，６を跨ぐようにして取付けられている。
この照明装置７は、デスクトップパネル５の前後に配設された前後１対の照明機器８，８を備えるとともに、各照明機器８の上面には、左右方向に延びる長尺状の反射カバー８ａが設けられている。
前後の照明機器８，８は、照明機器８の左右方向の両端部を下方から支持する左右１対の第１連結部材９，９と、前記照明機器８の中間部を下方から支持する第２連結部材１０とによって連結されている。
【００２４】
図２及び図３に示すように、第１連結部材９は、その中央部がデスクトップパネル５の上面５ａ上に位置しうるように前後に延びる支持部１１と、この支持部１１の中央部から左右に延びる取付部１２とにより平面視十字形に形成されている。
支持部１１の前後両端部１１ａ，１１ａには、通孔１３，１３が設けられていて、これらの通孔１３に、雄ねじ１４を下方から上方に向けて挿入して、前記照明機器８の左右両端下面に設けた雌ねじ８ｂに螺合させることによって、前後の照明機器８，８が、左右の第１連結部材９，９に支持されるようになっている。
【００２５】
支持部１１における中央部の下面には、下方に向かって突設させた断面ほぼ円形の係止ピン１５が設けられている。
この係止ピン１５は、支持部１１の中央部に設けた通孔１６から、係止ピン１５の上端に設けたねじ孔１７に向けて皿ねじ１８を挿通し螺合させてある。
これにより、前記照明機器８における下面の左右に離間した位置から下方に向かって、左右の係止ピン１５を突設させてある。
【００２６】
デスクトップパネル５は、図３に示すように、前後二枚の平板１９，１９と、これら平板１９，１９間に上方を向くように配置され、かつ前記各平板１９の裏面同士を連結する複数の芯材２０と、前後の平板１９と各芯材２０との上方を閉塞する上面板２１より構成されているとともに、互いに左右に隣接する芯材２０，２０間に空間部２０ａが形成されるようになっている。
【００２７】
デスクトップパネル５の上面５ａを構成する上面板２１の左右に離間した位置には、デスクトップパネル５の左右方向を向く長手方向に横長形状の挿通孔２２が、左側と右側とが左右対称的に対向しうるように、それぞれ下方に向って穿設されている。
この挿通孔２２は、その前後寸法が、前記係止ピン１５の外径とほぼ同一の寸法を有する係止ピン挿通部２３ａと、このピン挿通部２３の左右方向の外側に連設した角孔状の配線挿通部２３ｂとより形成されている。
【００２８】
デスクトップパネル５における左側の上面５ａに形成された挿通孔２２内には、前記係止ピン１５の外周面１５ａが、右側の係止ピン挿通部２３ａに相当する内側の内周面２２ａに近接しうるように挿通されるようになっているとともに、係止ピン挿通部２３ａの左側に相当する配線挿通部２３ｂ内、すなわち前記挿通孔２２におけるピン挿通部２３以外の空間には、前記係止ピン１５が挿通されずに、前記照明装置７における各照明機器８のそれぞれに結線された配線７ａが挿通されて引込みうるにようになっている。
この場合、デスクトップパネル５における右側の上面５ａに形成された挿通孔２２内には、左側のピン挿通部２３ａに相当する内側の内周面２２ａに前記係止ピン１５の外周面１５ａが近接しうるように挿通され、係止ピン挿通部２３ａの右側に相当する配線挿通部２３ｂ内に、前記照明装置７における各照明機器８の配線７ａが挿通されて引込みうるようになっている。
【００２９】
第１連結部材９は、デスクトップパネル５の上面５ａに形成された挿通孔２２内に係止ピン１５を挿通した際に、支持部１１の中央部から左右に延びる取付部１２によって、前記挿通孔２２が閉塞されるようになっている。
【００３０】
第１連結部材９の取付部１２における左右方向の外方を向く一方の延出片１２ａ、すなわち前記挿通孔２２の配線挿通部２３ｂに対応する部位には、その配線挿通部２３ｂに整合して連通する平面視円形の案内溝２４が設けられている。
この案内溝２４は、その外周の一部を開放する切欠部２４ａを有するとともに、切欠部２４ａを通して、前記照明装置７の配線７ａが挿通されるようになっている。
【００３１】
案内溝２４には、前記切欠部２４ａと整合可能な割り溝２５ａを有する合成樹脂製の円筒状の保護部材２５が嵌合されるようになっている。
この保護部材２５には、前記案内溝２４と同様にして、前記割り溝２５ａを通して、前記照明装置７の配線７ａが挿通されるようになっている。
これにより、前記照明装置７が支持された左右の第１連結部材９をデスクトップパネル５の上面５ａに取付ける際に、第１連結部材９の係止ピン１５をデスクトップパネル５における挿通孔２２の係合ピン挿通部２３ａに挿通することにより、案内溝２４および保護部材２５に保持された照明装置７の配線７ａが、前記挿通孔２２の配線挿通部２３ｂ内に挿通されるようになっている。
【００３２】
第１連結部材９の取付部１２における左右方向の内方を向く他方の延出片１２ｂの下面には、下方に向けて突設された凸部２６が、係止ピンから離間した位置に形成されているとともに、デスクトップパネル５の上面５ａには、前記凸部２６と整合する凹部２７が設けられている。
これらの凸部２６と凹部２７とは、前記第１連結部材９の係止ピン１５とデスクトップパネル５の挿通孔２２との挿入状態、すなわち第１連結部材９をデスクトップパネル５の上面５ａに取付けた際に、互いに凹凸係合しうるようになっており、これにより、第１連結部材９の水平方向の回転を防止するようになっている。
【００３３】
図４に示すように、第２連結部材１０は、その中央部が、前記第１連結部材９と同様に、デスクトップパネル５の上面５ａ上に位置しうるように前後に延びる支持部２８を備えるとともに、この支持部２８の前後両端部２８ａ，２８ａには、通孔２９，２９が設けられている。
前後の通孔２９には、雄ねじ３０が下方から上方に向けて挿入されて、前記照明機器８における左右方向の中間部下面に設けた雌ねじ８ｂに螺合させることによって、前後の照明機器８，８の中間部が、第２連結部材１０に支持されるようになっている。
【００３４】
支持部２８における中央部の下面には、下方に向かって突設させた断面ほぼ円形の係止ピン３１が設けられている。
この係止ピン３１は、支持部２８の中央部に設けた通孔３２から、係止ピン３１の上端に設けたねじ孔３３に向けて皿ねじ３４を挿通し螺合させることにより、第２連結部材１０の中央部の下面に、係止ピン３１を下方に向けて突設させてある。
【００３５】
デスクトップパネル５の上面５ａを構成する上面板２１の左右方向の中間部には、デスクトップパネル５の左右方向を向く長手方向に横長の楕円形状をなす挿通孔３５が下方に向って穿設されている。
この挿通孔３５は、その前後寸法が、前記係止ピン３１の外径とほぼ同一の寸法を有する。
【００３６】
すなわち、第２連結部材１０の係止ピン３１を、デスクトップパネル５の上面５ａに設けた挿通孔３５内に挿通して配置することにより、第２連結部材１０における支持部２８の前後両端部２８ａ，２８ａに支持された前後の照明機器８，８の中間部が取付けられるようになっている。
【００３７】
なお、上記の実施形態においては、デスクトップパネル５によって区画された天板２の前後における空間の上方位置に、照明装置７の照明器具８を、それぞれ第１および第２連結部材９、１０をもって配設しうるようにしたが、天板２における前方の片側空間の上方位置にのみ照明装置７を配設する場合には、デスクトップパネル５の上面５ａから前方にのみ延出する支持部からなる連結部材が用いられる。
また、デスクトップパネル５に挿通された照明装置７の配線７ａは、図３に示すように、天板２下方におけるデスクトップパネル５の下部に開口させた配線取出口３６から引出されるようになっている。
【符号の説明】
【００３８】
１    机
２    天板
３Ａ〜３Ｄ  脚柱
４    側面仕切りパネル
５    デスクトップパネル
５ａ  上面
６    中間仕切りパネル
７    照明装置
７ａ  配線
８    照明機器
８ａ  反射カバー
８ｂ  雌ねじ
９    第１連結部材
１０  第２連結部材
１１  支持部
１１ａ  端部
１２  取付部
１２ａ  延出片
１２ｂ  延出片
１３  通孔
１４  雄ねじ
１５  係止ピン
１５ａ  外周面
１６  通孔
１７  ねじ孔
１８  皿ねじ
１９  平板
２０  芯材
２０ａ  空間部
２１  上面板
２２  挿通孔
２２ａ  内周面
２３ａ  係止ピン挿通部
２３ｂ  配線挿通部
２４  案内溝
２４ａ  切欠部
２５  保護部材
２５ａ  割り溝
２６  凸部
２７  凹部
２８  支持部
２８ａ  端部
２９  通孔
３０  雄ねじ
３１  係止ピン
３２  通孔
３３  ねじ孔
３４  皿ねじ
３５  挿通孔
３６  配線取出口
【図１】
2011103999.tif 000003
【図２】
2011103999.tif 000004
【図３】
2011103999.tif 000005
【図４】
2011103999.tif 000006